(57)【要約】【課題】低温を維持しなければならない環境でも使用することができる技術を提供する。【解決手段】空気の流れを発生させるファン１０と、ファン１０の下流側に配置されて、通過する空気中の臭気物質を吸着すると共に加熱されることにより当該臭気物質を脱離する吸着材２０と、ファン１０の下流側であって吸着材２０の上流側に配置されて、吸着材２０に流入する空気を加熱する上流側ヒータ３０と、吸着材２０から脱離した臭気物質を分解する触媒５０と、触媒５０を通過した空気を冷却する冷却部７０と、を備える。【選択図】図１
2018139977.tif 000002
【特許請求の範囲】
【請求項１】
空気の流れを発生させる送風手段と、
前記送風手段の下流側に配置されて、通過する空気中の臭気物質を吸着すると共に加熱されることにより当該臭気物質を脱離する吸着手段と、
前記送風手段の下流側であって前記吸着手段の上流側に配置されて、前記吸着手段に流入する空気を加熱する上流側加熱手段と、
前記吸着手段から脱離した前記臭気物質を分解する分解手段と、
前記分解手段を通過した空気を冷却する冷却手段と、
を備える脱臭装置。
【請求項２】
前記送風手段の駆動を制御する送風制御部をさらに備え、
前記送風制御部は、前記上流側加熱手段が空気を加熱するときには当該上流側加熱手段が加熱しないときよりも風量が低下するように前記送風手段の駆動を制御する
請求項１に記載の脱臭装置。
【請求項３】
前記分解手段を加熱するための分解加熱手段をさらに備えている
請求項１又は２に記載の脱臭装置。
【請求項４】
前記分解手段の下流側に当該分解手段を通過した空気を冷却するための冷却用ヒートシンクが設けられている
請求項１から３のいずれか１項に記載の脱臭装置。
【請求項５】
前記送風手段の下流側であって前記吸着手段の上流側に当該送風手段にて送られた空気を加熱するための加熱用ヒートシンクが設けられている
請求項４に記載の脱臭装置。
【請求項６】
前記冷却手段は、前記冷却用ヒートシンクと前記加熱用ヒートシンクとの間に配置され、当該冷却用ヒートシンク側で吸熱し、当該加熱用ヒートシンク側で放熱する熱交換素子を有する
請求項５に記載の脱臭装置。
【請求項７】
前記吸着手段、前記分解手段、前記冷却手段を収容すると共に、空気が入る入口と空気が出る出口とが形成され、当該入口から当該出口までの空気の流路がＵ字状である筐体をさらに備える
請求項１から６のいずれか１項に記載の脱臭装置。
【請求項８】
前記筐体は、内部に空気層が形成された二重構造である
請求項７に記載の脱臭装置。
【請求項９】
物品を冷蔵する冷蔵室と、
前記冷蔵室内に配置された請求項１から８のいずれか１項に記載の脱臭装置と、
を備える冷蔵庫。
【発明の詳細な説明】
【技術分野】
【０００１】
本発明は、脱臭装置、冷蔵庫に関する。
【背景技術】
【０００２】
従来、活性炭などの臭気物質の吸着材を備えた脱臭装置が提案されている。ただし、吸着材は飽和状態に達したのち吸着性能が低下することから、触媒などの臭気物質を分解する材料も用いられている。
例えば、特許文献１に記載の脱臭装置は、以下のように構成されている。すなわち、有害物質を吸着するとともに加熱により該有害物質を脱離して再生する吸着剤を有する吸着構造体と、該吸着構造体から脱離した有害物質を分解する酸化触媒を担持させてなり、該酸化触媒を再生時に活性化させるための電気ヒータを具備した触媒構造体とを備えた脱臭装置において、前記吸着構造体の再生時には該吸着構造体から脱離した有害物質を前記触媒構造体に導く空気通路を形成する通路形成手段を付設して、再生時において吸着構造体から脱離した有害物質を、通路形成手段により触媒構造体に導き、ここで電気ヒータにより活性化された酸化触媒により無害な物質に分解されるようにしている。
【先行技術文献】
【特許文献】
【０００３】
【特許文献１】特開２０００−５５６５号公報
【発明の概要】
【発明が解決しようとする課題】
【０００４】
臭気物質などの有害物質を吸着する吸着手段を再生するためには、電気ヒータなどの加熱手段にて触媒を活性化する必要がある。そのため、吸着手段を再生する際の触媒を通過した空気は温かくなる。脱臭装置から出る空気が温かいと、例えば冷蔵庫の冷蔵室内のように低温を維持しなければならない環境で使用することが困難となる。
本発明は、低温を維持しなければならない環境でも使用することができる脱臭装置、冷蔵庫を提供することを目的とする。
【課題を解決するための手段】
【０００５】
上記の目的を達成する本発明は、空気の流れを発生させる送風手段と、前記送風手段の下流側に配置されて、通過する空気中の臭気物質を吸着すると共に加熱されることにより当該臭気物質を脱離する吸着手段と、前記送風手段の下流側であって前記吸着手段の上流側に配置されて、前記吸着手段に流入する空気を加熱する上流側加熱手段と、前記吸着手段から脱離した前記臭気物質を分解する分解手段と、前記分解手段を通過した空気を冷却する冷却手段と、を備える脱臭装置である。
そして、前記送風手段の駆動を制御する送風制御部をさらに備え、前記送風制御部は、前記上流側加熱手段が空気を加熱するときには当該上流側加熱手段が加熱しないときよりも風量が低下するように前記送風手段の駆動を制御しても良い。
また、前記分解手段を加熱するための分解加熱手段をさらに備えていても良い。
また、前記分解手段の下流側に当該分解手段を通過した空気を冷却するための冷却用ヒートシンクが設けられていても良い。
また、前記送風手段の下流側であって前記吸着手段の上流側に当該送風手段にて送られた空気を加熱するための加熱用ヒートシンクが設けられていても良い。
また、前記冷却手段は、前記冷却用ヒートシンクと前記加熱用ヒートシンクとの間に配置され、当該冷却用ヒートシンク側で吸熱し、当該加熱用ヒートシンク側で放熱する熱交換素子を有していても良い。
また、前記吸着手段、前記分解手段、前記冷却手段を収容すると共に、空気が入る入口と空気が出る出口とが形成され、当該入口から当該出口までの空気の流路がＵ字状である筐体をさらに備えていても良い。
また、前記筐体は、内部に空気層が形成された二重構造でも良い。
また、上記の目的を達成する本発明は、物品を冷蔵する冷蔵室と、前記冷蔵室内に配置された、上述した脱臭装置を備える冷蔵庫である。
【発明の効果】
【０００６】
本発明によれば、低温を維持しなければならない環境でも使用することができる脱臭装置、冷蔵庫を提供することができる。
【図面の簡単な説明】
【０００７】
【図１】（ａ）は、第１の実施形態に係る脱臭装置の外観を示す正面図である。（ｂ）は、（ａ）のＩｂ−Ｉｂ部の断面における装置内部の概略構成図である。
【図２】制御装置のブロック図である。
【図３】脱臭装置が吸着モードであるときの空気の流れを示す図である。
【図４】脱臭装置が再生モードであるときの空気の流れ及び熱の移動を示す図である。
【図５】（ａ）は、第１の実施形態に係る脱臭装置が適用された冷蔵庫の概略正面図である。（ｂ）は、冷蔵庫の冷蔵室内を上方から示す図である。
【発明を実施するための形態】
【０００８】
以下、添付図面を参照して、本発明の実施形態について詳細に説明する。
＜第１の実施形態＞
図１（ａ）は、第１の実施形態に係る脱臭装置１の外観を示す正面図である。図１（ｂ）は、図１（ａ）のＩｂ−Ｉｂ部の断面における装置内部の概略構成図である。
第１の実施形態に係る脱臭装置１は、空気の流れを発生させる送風手段の一例としてのファン１０と、ファン１０の下流側に配置されて、通過する空気中の臭気物質を吸着すると共に加熱されることにより当該臭気物質を脱離する吸着手段の一例としての吸着材２０とを備えている。
【０００９】
また、脱臭装置１は、ファン１０の下流側であって吸着材２０の上流側に配置されて、吸着材２０に流入する空気を加熱する上流側加熱手段の一例としての上流側ヒータ３０と、ファン１０にて送られた空気を加熱するための加熱用ヒートシンク４０とを備えている。
また、脱臭装置１は、吸着材２０から脱離した臭気物質を分解する分解手段の一例としての触媒５０と、触媒５０を加熱するための分解加熱手段の一例としての下流側ヒータ６０と、触媒５０を通過した空気を冷却する冷却手段の一例としての冷却部７０とを備えている。
また、脱臭装置１は、触媒５０の下流側に配置されて触媒５０を活性化するため熱を保持する熱保持用ヒートシンク８０と、熱保持用ヒートシンク８０の下流側に配置されて、熱保持用ヒートシンク８０を通過した空気を冷却するための冷却用ヒートシンク８５とを備えている。
【００１０】
また、脱臭装置１は、吸着材２０、上流側ヒータ３０、加熱用ヒートシンク４０、触媒５０、下流側ヒータ６０、冷却部７０、熱保持用ヒートシンク８０及び冷却用ヒートシンク８５を収容すると共に、空気が入る入口９１と空気が出る出口９２とが形成された直方体状の筐体９０を備えている。筐体９０は、入口９１から入り、出口９２から出る空気の流路がＵターンするように、入口９１と出口９２との間を隔てると共に、吸着材２０を通過した空気が触媒５０の方へ向かわせる隔壁９５を有している。隔壁９５が設けられていることにより、筐体９０は、入口９１から出口９２までの空気の流路がＵ字状となる。
また、脱臭装置１は、ファン１０の駆動、上流側ヒータ３０の作動、下流側ヒータ６０の作動、冷却部７０の作動などを制御する制御装置１００を備えている。
【００１１】
第１の実施形態に係る脱臭装置１は、空気中の臭気物質を吸着材２０にて吸着する吸着モードと、吸着材２０から臭気物質を脱離させて吸着材２０を再生すると共に脱離した臭気物質を触媒５０にて分解させる再生モードとに切り替え可能な装置である。そして、脱臭装置１は、吸着モードと再生モードとを交互に行い、吸着材２０の高度な脱臭性能を長い期間維持することを実現している。
【００１２】
以下に、脱臭装置１が備える構成要素について詳述する。
ファン１０は、筐体９０の入口９１に配置されている。ファン１０は、回転軸１１と、回転軸１１周りに配置された複数の羽根１２と、回転軸１１を回転駆動させるモータ（不図示）とを有している。第１の実施形態に係るファン１０は、図１（ａ）で見た場合に回転軸１１が前後方向、図１（ｂ）で見た場合に回転軸１１が上下方向となるように配置されている。そして、ファン１０は、入口９１を介して筐体９０外の空気を筐体９０の内部に取り込むと共に、出口９２を介して筐体９０外に排出する。モータは、制御装置１００により回転速度が制御される。
【００１３】
吸着材２０は、通過する空気中の臭気物質を吸着して脱臭処理を行うと共に加熱されることにより当該臭気物質を脱離する活性炭を有する。
上流側ヒータ３０は、吸着材２０の上流であって加熱用ヒートシンク４０の下流に配置されている。上流側ヒータ３０は、予め定められた時間の間通電された場合に、吸着材２０又は吸着材２０に流入する空気を、吸着材２０に吸着した臭気物質を除去可能な所定の温度にまで上昇させることができる。上流側ヒータ３０は、制御装置１００により通電が制御される。
【００１４】
加熱用ヒートシンク４０は、上流側に配置された上流側加熱用ヒートシンク４１と、下流側に配置された下流側加熱用ヒートシンク４２とを有している。
上流側加熱用ヒートシンク４１、下流側加熱用ヒートシンク４２は、伝熱特性の良いアルミニウム、鉄、銅などの金属にて成形されている。
【００１５】
触媒５０は、熱伝導性が高い基材の両面に酸化触媒が担持された触媒担持フィルタであることを例示することができる。酸化触媒としては、Ａｇ、Ｐｄ、Ｐｔ、Ｍｎ、Ｒｈ、Ｆｅ、Ｃｏのうちから選ばれた１種以上の金属またはこれらの金属の酸化物であることを例示することができる。
【００１６】
下流側ヒータ６０は、吸着材２０の下流であって触媒５０の上流に配置されている。下流側ヒータ６０は、予め定められた時間の間通電された場合に、触媒５０又は触媒５０に流入する空気を、吸着材２０から脱離した臭気物質を分解可能な所定の温度にまで上昇させることができる。下流側ヒータ６０は、制御装置１００により通電が制御される。
【００１７】
冷却部７０は、冷却用ヒートシンク８５と加熱用ヒートシンク４０との間に配置されると共に、ＯＮ状態で、冷却用ヒートシンク８５側で吸熱し、加熱用ヒートシンク４０側で放熱する、ペルチェ素子等の熱交換機能を有する電子素子を有する。冷却部７０のＯＮ／ＯＦＦは、制御装置１００により制御される。
【００１８】
熱保持用ヒートシンク８０は、隔壁９５を介して下流側加熱用ヒートシンク４２と対向する位置に配置されている。
冷却用ヒートシンク８５は、隔壁９５を介して上流側加熱用ヒートシンク４１と対向する位置に配置されている。冷却用ヒートシンク８５と隔壁９５との間に冷却部７０が配置されている。
熱保持用ヒートシンク８０及び冷却用ヒートシンク８５は、伝熱特性の良いアルミニウム、鉄、銅などの金属にて成形されている。
【００１９】
筐体９０は、隔壁９５よりも入口９１側に形成された第１収容室９６と、隔壁９５よりも出口９２側に形成された第２収容室９７とを有している。
第１収容室９６には、入口９１側から順に、上流側加熱用ヒートシンク４１、下流側加熱用ヒートシンク４２、上流側ヒータ３０及び吸着材２０が配置されている。
第２収容室９７には、出口９２側から順に、冷却用ヒートシンク８５、熱保持用ヒートシンク８０、触媒５０、下流側ヒータ６０が配置されている。
【００２０】
隔壁９５を介して、上流側加熱用ヒートシンク４１と冷却用ヒートシンク８５とが対向し、下流側加熱用ヒートシンク４２と熱保持用ヒートシンク８０とが対向する。上流側ヒータ３０は、下流側加熱用ヒートシンク４２と吸着材２０との間に配置され、下流側ヒータ６０は、吸着材２０と触媒５０との間に配置されている。
上述した配置により、ファン１０にて入口９１を介して筐体９０内に入った空気は、上流側加熱用ヒートシンク４１、下流側加熱用ヒートシンク４２、上流側ヒータ３０、吸着材２０、下流側ヒータ６０、触媒５０、熱保持用ヒートシンク８０、冷却用ヒートシンク８５を順に通過して出口９２から筐体９０外へ出ていく。
筐体９０における外壁９８は、内部に空気層９９が形成された二重構造である。これにより、筐体９０内部と外部との間の断熱が図られている。
【００２１】
図２は、制御装置１００のブロック図である。
制御装置１００は、ファン１０を回転駆動するモータ（不図示）の回転速度を制御するファン制御部１０１と、上流側ヒータ３０の温度を制御する上流側ヒータ温度制御部１０２と、下流側ヒータ６０の温度を制御する下流側ヒータ温度制御部１０３と、冷却部７０のＯＮ／ＯＦＦを制御する冷却制御部１０４とを備えている。
制御装置１００は、演算処理を行うＣＰＵ（不図示）と、ＣＰＵにて実行されるプログラムや各種データ等が記憶されたＲＯＭ（不図示）と、ＣＰＵの作業用メモリ等として用いられるＲＡＭ（不図示）とを備えている。そして、ＣＰＵがプログラムを実行することで、ファン制御部１０１、上流側ヒータ温度制御部１０２、下流側ヒータ温度制御部１０３及び冷却制御部１０４を実現する。
【００２２】
ファン制御部１０１は、ファン１０の回転速度を高速と低速との２段階に切り替える。ファン制御部１０１は、吸着モードであるときには、ファン１０の回転速度を高速とし、再生モードであるときには、ファン１０の回転速度を低速とする。
上流側ヒータ温度制御部１０２は、ファン制御部１０１がファン１０の回転速度を低速にしているとき（再生モードであるとき）に、予め定められた時間の間通電することで上流側ヒータ３０を所定の温度にまで上昇させる。他方、上流側ヒータ温度制御部１０２は、ファン制御部１０１がファン１０の回転速度を高速にしているとき（吸着モードであるとき）には通電しない。
【００２３】
下流側ヒータ温度制御部１０３は、ファン制御部１０１がファン１０の回転速度を低速にしているとき（再生モードであるとき）に、予め定められた時間の間通電することで下流側ヒータ６０を所定の温度にまで上昇させる。他方、下流側ヒータ温度制御部１０３は、ファン制御部１０１がファン１０の回転速度を高速にしているとき（吸着モードであるとき）には通電しない。
冷却制御部１０４は、ファン制御部１０１がファン１０の回転速度を低速にしているとき（再生モードであるとき）に、冷却部７０をＯＮ状態とし、ファン制御部１０１がファン１０の回転速度を高速にしているとき（吸着モードであるとき）に、ＯＦＦ状態とする。
【００２４】
＜脱臭装置１の作用＞
図３は、脱臭装置１が吸着モードであるときの空気の流れを示す図である。
図４は、脱臭装置１が再生モードであるときの空気の流れ及び熱の移動を示す図である。
第１の実施形態に係る脱臭装置１は、吸着モードであるときに、ファン制御部１０１がファン１０の回転速度を高速とし、冷却制御部１０４が冷却部７０をＯＦＦ状態とする。また、上流側ヒータ温度制御部１０２，下流側ヒータ温度制御部１０３は、それぞれ上流側ヒータ３０，下流側ヒータ６０に通電せずに温度を高めない。このとき、ファン１０にて筐体９０内部に吸い込まれた空気は、第１収容室９６、第２収容室９７を通って出口９２から出ていく。その際、空気に含まれる臭気物質が吸着材２０に吸着される。また、触媒５０が触媒担持フィルタである場合には、空気に含まれる臭気物質は触媒５０にも吸着される。
【００２５】
一方、脱臭装置１は、触媒５０による臭気物質の分解速度が吸着材２０の吸着速度よりも遅いことに鑑み、再生モードであるときに、ファン制御部１０１がファン１０の回転速度を低速にする。冷却制御部１０４は、冷却部７０をＯＮ状態とし、上流側ヒータ温度制御部１０２，下流側ヒータ温度制御部１０３は、それぞれ上流側ヒータ３０，下流側ヒータ６０に通電して温度を高める。このときも、ファン１０にて筐体９０内部に吸い込まれた空気は、第１収容室９６、第２収容室９７を通って出口９２から出ていくが、空気の通過速度は、吸着モードであるときの速度よりも小さい。
【００２６】
吸着材２０は、上流側ヒータ３０及び下流側ヒータ６０により暖められると共に、上流側加熱用ヒートシンク４１及び下流側加熱用ヒートシンク４２にて暖められた空気が流入する。それゆえ、吸着材２０は加熱され、吸着していた臭気物質を脱離する。これにより、吸着材２０は再生する。
触媒５０は、下流側ヒータ６０により暖められると共に、上流側加熱用ヒートシンク４１及び下流側加熱用ヒートシンク４２にて暖められた後に吸着材２０を通過した空気が流入する。それゆえ、触媒５０は、加熱されて活性化し、吸着材２０から脱離した臭気物質を分解する。また、触媒５０が触媒担持フィルタである場合には、吸着していた臭気物質をも分解する。
【００２７】
熱保持用ヒートシンク８０には、触媒５０を通過した空気が流入する。そして、熱保持用ヒートシンク８０は、高温を維持する。熱保持用ヒートシンク８０の周囲の熱が、隔壁９５を介して対向する下流側加熱用ヒートシンク４２に伝わる。これにより、下流側加熱用ヒートシンク４２の温度が高められ、吸着材２０に流入する空気の温度が高まる。
【００２８】
冷却用ヒートシンク８５には、熱保持用ヒートシンク８０を通過した空気が流入する。冷却部７０は、脱臭装置１が再生モードであるときにはＯＮ状態であるので、冷却用ヒートシンク８５側で吸熱し、上流側加熱用ヒートシンク４１側で放熱する。つまり、冷却用ヒートシンク８５側の温度を低下させ、上流側加熱用ヒートシンク４１側の温度を高める。その結果、出口９２から出ていく空気が冷却用ヒートシンク８５にて冷却される。他方、上流側加熱用ヒートシンク４１の温度が高められ、下流側加熱用ヒートシンク４２及び吸着材２０に流入する空気の温度が高まる。
【００２９】
上述したように、第１の実施形態に係る脱臭装置１においては、吸着材２０にて脱臭（臭気物質除去）を行うので、省エネルギーで素早い吸着速度を実現することができる。また、第１の実施形態に係る脱臭装置１においては、吸着材２０を再生させるので、再生させない場合に比べて、吸着材２０の吸着性能（脱臭性能）を長期間維持することができる。そして、再生するために触媒５０を用い、吸着材２０で濃縮した臭気を触媒５０に曝露させることで、分解速度を高めている。また、吸着材２０を再生させるために、筐体９０内部の温度を高めたとしても、冷却部７０及び冷却用ヒートシンク８５の作用により、出口９２から出ていく空気が冷却される。また、筐体９０の外壁９８は、内部に空気層９９が形成された二重構造であるため、筐体９０内部と外部との間の断熱が図られている。それゆえ、脱臭装置１は、加熱に用いた熱を排出しない。その結果、例えば冷蔵庫の冷蔵室内のように、低温を維持しなければならない環境でも第１の実施形態に係る脱臭装置１を使用することができる。
【００３０】
なお、上述した脱臭装置１において、吸着モードと再生モードとを交互に行うタイミングは特に限定されない。例えば、脱臭装置１は、吸着モードを予め定められた吸着モード期間行った後に再生モードに切り替え、その後、再生モードを予め定められた再生モード期間行った後に吸着モードに切り替えるようにしても良い。吸着モード期間と再生モード期間とは同じでも良いし、異なっていても良い。
また、脱臭装置１は、臭気を検出する臭気センサ（不図示）を、例えば吸着材２０の下流に備え、臭気センサが検出する臭気の量が予め定められた量以上となったときに、吸着モードから再生モードに切り替えても良い。かかる場合、脱臭装置１は、再生モードを再生モード期間行った後に吸着モードに切り替えると良い。
【００３１】
図５（ａ）は、第１の実施形態に係る脱臭装置１が適用された冷蔵庫２００の概略正面図である。図５（ｂ）は、冷蔵庫２００の冷蔵室内を上方から示す図である。
冷蔵庫２００は、図５（ａ）に示すように、物品を冷蔵する冷蔵室２１０と、冷蔵室２１０を開閉する扉２２０と、物品が載せられる複数の棚２３０と、上述した脱臭装置１とを備えている。
【００３２】
脱臭装置１は、図５（ａ）に示すように、複数の棚２３０の内の一番上の棚２３０と、冷蔵室２１０を区画する上部の壁２１１との間に配置されている。また、脱臭装置１は、図５（ｂ）に示すように、冷蔵室２１０内の奥側、つまり扉２２０よりも冷蔵室２１０を区画する後部の壁２１２に近い位置に配置されている。また、脱臭装置１は、ファン１０が配置された筐体９０の入口９１が前方、筐体９０の出口９２が後方となるように配置されている。
【００３３】
そして、脱臭装置１は、吸着モードであるときに、冷蔵室２１０内の空気を前方から吸い込み、空気中の臭気物質を吸着すると共に、空気を後方から排出する。このようにして、脱臭装置１は、冷蔵室２１０内の空気の臭気物質を除去する。
他方、脱臭装置１は、再生モードであるときに、吸着材２０を再生させる。再生する際に筐体９０内の空気が加熱されるが、冷却部７０及び冷却用ヒートシンク８５を備えていることにより、筐体９０の出口９２から排出される空気は冷却されている。それゆえ、冷蔵室２１０内の温度は、低温に維持される。
【００３４】
なお、冷蔵室２１０内に配置された脱臭装置１においても、吸着モードと再生モードとを交互に行うタイミングは特に限定されない。例えば、脱臭装置１は、冷蔵庫２００の扉２２０が頻繁に開閉される時間帯で吸着モードを行い、冷蔵庫２００の扉２２０があまり開閉されない時間帯で再生モードを行うと良い。冷蔵庫２００の扉２２０が頻繁に開閉される時間帯は、予め設定された時間帯（例えば午前７時〜午後９時）でも良いし、ユーザが設定した時間帯でも良い。冷蔵庫２００の扉２２０があまり開閉されない時間帯は、予め設定された時間帯（例えば午後９時〜午前７時）でも良いし、ユーザが設定した時間帯でも良い。
【００３５】
＜第２の実施形態＞
第２の実施形態に係る脱臭装置１は、第１の実施形態に係る脱臭装置１に対して冷却部７０を備えていない点が異なる。
冷却用ヒートシンク８５と上流側加熱用ヒートシンク４１との間に冷却部７０を備えていない構成の第２の実施形態に係る脱臭装置１においても、冷却用ヒートシンク８５にて熱交換が行われる。それゆえ、再生モードであるときに、筐体９０内部の温度を高めたとしても、冷却用ヒートシンク８５の作用により、出口９２から出ていく空気が冷却される。その結果、第２の実施形態に係る脱臭装置１は、加熱に用いた熱を排出しない。従って、例えば冷蔵庫の冷蔵室内のように、低温を維持しなければならない環境でも第２の実施形態に係る脱臭装置１を使用することができる。
【符号の説明】
【００３６】
１…脱臭装置、１０…ファン、２０…吸着材、３０…上流側ヒータ、４０…加熱用ヒートシンク、５０…触媒、６０…下流側ヒータ、７０…冷却部、８０…熱保持用ヒートシンク、８５…冷却用ヒートシンク、９０…筐体、１００…制御装置
【図１】
2018139977.tif 000003
【図２】
2018139977.tif 000004
【図３】
2018139977.tif 000005
【図４】
2018139977.tif 000006
【図５】
2018139977.tif 000007